(57)【要約】【課題】採光機能や換気機能を有する放散用の開口を設けた建物の放散構造について提案する。【解決手段】建物内部での爆発発生時に、爆発の圧を建物外部へ放散するための放散構造として、建物の壁に形成した放散用開口１０に開口枠１５を設け、該開口枠１５の左右一側に固定窓１１を設けるとともに、左右他側に外開き窓１２を設け、固定窓及び外開き窓より室内側に形成したレール１４を摺動可能な引き戸１３を設けた。固定窓１１及び引き戸１３の面材を透明板状材であって爆発の圧を受けて破れる樹脂素材で構成し、外開き窓１２の面材を透明板状材であって爆発の圧を受けても破れることのない素材で構成した。また、外開き窓１２の窓障子１２ａを内窓枠２０に磁力を利用した係止部材２４・２５にて係止させた。【選択図】図４
2006045866.tif 000002
【特許請求の範囲】
【請求項１】
建物内部での爆発発生時に、爆発の圧を建物外部へ放散するための放散構造において、
建物の壁に形成した放散用開口に開口枠を設け、
該開口枠に固定窓と外開き窓とを設け、
該開口枠において固定窓及び外開き窓より室内側に引き戸を摺動可能に設ける、
ことを特徴とする放散構造。
【請求項２】
前記固定窓及び引き戸の面材を、透明板状材であって爆発の圧を受けて破れる樹脂素材で構成し、
前記外開き窓を、開閉可能な透明板状材であって、爆発の圧を受けると外側へ向って開く窓障子で構成する、
請求項１に記載の放散構造。
【請求項３】
前記外開き窓の窓障子の閉じた状態を磁力にて保持させる、
請求項１又は請求項２に記載の放散構造。
【発明の詳細な説明】
【技術分野】
【０００１】
本発明は、水素ガス等の爆発性ガスを扱う施設等の建物における爆発時の爆風を放散させる放散構造の改良に関する。
【背景技術】
【０００２】
従来、爆発事故が発生する可能性のある建物の構造的な爆発対策として、建物の壁面等に他の部分と比して強度の著しく低い部材を設け、爆風で強度の低い部材を破壊して爆発の圧力を建物外部に拡散させ、爆発の威力を低減させる建物の構造が知られている。
例えば、屋根材に強度の低い材質ものを用いて屋根壁を形成し、爆風にて屋根壁を破壊するものや、一部の壁材に強度の低い材質のものを用いて、爆風にて壁を破壊するもの等がある。
【０００３】
これらの爆発対策は、その建物において爆発事故が発生する頻度が低いことを前提としており、爆発事故後に容易に建物を復旧できるような構造とはされていない。すなわち、爆発事故が発生したのち、多大な費用と時間を費やして建物の修復を行わねばならなかった。
【０００４】
そこで、特許文献１に記載の技術では、建物に放散用の開口を設け、該開口にドア枠を備えて、ヒンジを介して建物の外側に開閉するドアを設け、ドアをフランス落としにてドア枠に固定するようにしている。この構成では、爆発発生時にドアが爆風を受けると、フランス落としのロッドが折れ、ドアが建物の外側に向かって開いて、放散用の開口を開放して爆発の圧力を逃すようにしている。よって、爆発発生後に、フランス落としのロッドを交換すれば修復が済み、簡易且つ安価に建物を修復させることができる。
【特許文献１】特開平１１−２８０２８１号公報
【発明の開示】
【発明が解決しようとする課題】
【０００５】
しかし、上記特許文献１に記載の技術では、外壁面積が小さい建物に適用させる場合には、通常はドアにより塞がれる放散用の開口を優先的に設置すれば、採光や換気のための窓を十分に確保することが難しいという課題がある。
これは、放散用の開口に備えられているドアは、透明な素材でできていたり、或いは、換気のための開閉機構を備えていたりするものでないことに因る。すなわち、放散用の開口に、採光機能や換気機能を備えることによって、上記課題の解決を図ることができる。そこで、本発明では、採光機能や換気機能を有する放散用の開口を設けた建物の放散構造について提案する。
【課題を解決するための手段】
【０００６】
本発明の解決しようとする課題は以上の如くであり、次にこの課題を解決するための手段を説明する。
【０００７】
即ち、請求項１においては、建物内部での爆発発生時に、爆発の圧を建物外部へ放散するための放散構造において、建物の壁に形成した放散用開口に開口枠を設け、該開口枠に固定窓と外開き窓とを設け、該開口枠において固定窓及び外開き窓より室内側に引き戸を摺動可能に設けるものである。
【０００８】
請求項２においては、前記固定窓及び引き戸の面材を、透明板状材であって爆発の圧を受けて破れる樹脂素材で構成し、前記外開き窓を、開閉可能な透明板状材であって、爆発の圧を受けると外側へ向って開く窓障子で構成するものである。
【０００９】
請求項３においては、前記外開き窓の窓障子の閉じた状態を磁力にて保持させるものである。
【発明の効果】
【００１０】
本発明の効果として、以下に示すような効果を奏する。
【００１１】
請求項１においては、建物内部において爆発が発生したときには、外開き窓が開いて開口を形成して、放散用開口を開口することができる。そして、外開き窓を開くことによって放散用開口に換気機能を備えることができる。また、引き戸を外開き窓に重複するように移動させれば、台風等の強風時に外開き窓が開いても室内への風雨の侵入を防止することができる。
【００１２】
請求項２においては、放散用開口に採光機能を備えることができる。建物内部において爆発が発生したときには、固定窓及び引き戸が破れて開口を形成し、外開き窓が開いて開口を形成して、放散用開口を開口することができる。また、外開き窓を開いて換気を行うこともできる。
【００１３】
請求項３においては、爆発が発生しない通常時には窓障子が閉じた状態を保持しつつ、外開き窓の窓障子が爆風による圧を受けると容易に係合部材の係合が外れて、外開き窓を開くことができる。また、磁力を利用したものとすることで、爆風による圧を受けて係合が解除される係合部材を簡易に構成することができる。
【発明を実施するための最良の形態】
【００１４】
次に、発明の実施の形態を説明する。
図１は本発明の実施例に係る放散構造を備えた開口の構成を示す平面図、図２（ａ）（ｂ）は放散構造を備えた開口の構成の別形態を示す平面図、図３は放散構造を備えた開口を室内側から見た図、図４は放散構造を備えた開口を室内側から見た図、図５は外開き窓の構成を示す側面断面図、図６は片引き戸と固定窓と外開き窓との位置関係を説明する図である。
【００１５】
水素ガス等の爆発性ガスを扱う施設における爆発時の爆風を放散させる放散窓構造の改良に関する。
本発明に係る放散構造では、建物の壁に、爆発発生時に爆風を建物外部へ放散させる放散用開口を設け、該放散用開口に、爆風を受けて外開きする放散用窓と、爆風を受けて破れる放散用窓とを備えることを特徴とする。
【００１６】
建物の外壁部分には放散用開口１０が設けられ、該放散用開口１０に開口枠１５が嵌設されている。
放散用開口１０の、左右方向一側には固定窓（嵌め殺し窓）１１が設けられ、左右方向他側には外開き窓１２が設けられる。そして、固定窓１１と外開き窓１２との内側に、片引き戸１３が設けられる。固定窓１１と外開き窓１２は、放散用窓として形成されている。
なお、本実施例において、固定窓１１と外開き窓１２とは左右に配置されているが、上下に配置することもできる。
【００１７】
固定窓１１と外開き窓１２とは、同一直線上に配置することも、また、複数列に平行に配置することもできる。
前者の場合、図１に示す如く、放散用開口１０に設けられた開口枠１５において、屋外側に固定窓１１と外開き窓１２とが左右に配置され、室内側に片引き戸１３が設けられる。開口枠１５には、片引き戸１３が摺動するレール１４が形成され、片引き戸１３はこのレール１４上を摺動自在とされる。
また、後者の場合、図２（ａ）（ｂ）に示す如く、放散用開口１０に設けられた開口枠１５において、室内側に片引き戸１３が設けられ、該片引き戸１３の屋外側に、固定窓１１と外開き窓１２とがそれぞれ設けられる。この場合、図２（ａ）に示す如く、固定窓１１を屋外側、外開き窓１２を室内側とすることも、図２（ｂ）に示す如く、外開き窓１２を屋外側、固定窓１１を室内側とすることもできる。そして、開口枠１５には上下にレール１４が形成され、片引き戸１３はこのレール１４上を摺動自在とされる。
【００１８】
図３及び図４にも示す如く、前記固定窓１１は、放散用開口１０内左右方向一側において設けられている。固定窓１１の障子枠２６は放散用開口１０に設けられた開口枠１５に固定されており、該障子枠２６に面材として透明板２７が嵌設されている。
【００１９】
前記外開き窓１２は、図５にも示す如く、放散用開口１０内における上記固定窓１１の左右反対側において、上下方向に二つ設けられている。放散用開口１０は、固定窓１１と外開き窓１２とで、その全開口面積を閉塞することができる。
放散用開口１０に設けられた開口枠１５内に、上下方向に二つの開口を形成する窓内枠２０が形成されており、該窓内枠２０には、二枚の窓障子１２ａ・１２ａが外開き可能に嵌設される。
各外開き窓１２の窓障子１２ａは、障子枠２１と、該障子枠２１に嵌められた面材としての透明板２２とで構成される。障子枠２１の上框が窓内枠２０の上辺にヒンジ２３・２３を介して枢支されており、これにより、窓障子１２ａはその上框を軸として建物の外側に向かって開くことができる。
【００２０】
また、外開き窓１２の窓障子１２ａを構成する障子枠２１の下框と、窓内枠２０の下辺にはそれぞれ係止部材２４・２５が設けられており、該係止部材２４・２５によって、窓内枠２０の下辺に窓障子１２ａの下框が係止される。
なお、係止部材２４・２５は磁着式部材にて構成される。例えば、係止部材２４・２５の一方が磁石にて、他方が鉄板等の吸磁部材にて構成される。また、係止部材２４・２５の両方を磁石にて構成することも可能である。
係止部材２４・２５を、磁力を利用したものとすることで、爆風による圧を受けて係合が解除される係合部材を複雑な構造のものとすることなく、簡易且つ安価に製造することができる。
【００２１】
そして、前記外開き窓１２の窓障子１２ａを構成する透明板２２は、アクリル板としたり、強化ガラス板としたり、合わせガラスとしたりすることができる。すなわち、透明板として、爆発が発生したときにその爆風の圧を受けても破れることのない強度を有するものが採用される。
【００２２】
上述の如く、上框がヒンジ２３にて支承され、下框が係止部材２４・２５で係止された、外開き窓１２の窓障子１２ａは、建物の内部で爆発が発生したときにその爆風の圧を受けると、係止部材２４・２５による係止が解除され、窓障子１２ａは建物の外側に向かって開く。
【００２３】
前記片引き戸１３は、放散用開口１０に設けられた開口枠１５に形成されたレール１４上に嵌め込まれている。レール１４は開口枠１５の左右幅に亘って形成されており、また、片引き戸１３と外開き窓１２の左右幅は略等しい大きさとされている。
前記片引き戸１３は、戸枠２８と、該戸枠２８に嵌められた面材としての透明板２９とで構成される。
そして、レール１４上を摺動する片引き戸１３は、固定窓１１と重なった状態から、外開き窓１２が重なった状態まで移動することができる。従って、外開き窓１２の室内側に、片引き戸１３を移動させれば、ちょうど、これらを重ね合わせることができる。
【００２４】
前記固定窓１１の窓障子１１ａを構成する透明板２７と、片引き戸１３を構成する透明板２９は、いずれも樹脂製であって、透過性を有する材料で構成されている。透明板２７・２９は、風圧程度の圧によっては破れることなく、爆風程度の圧を受けて破れる強度を備えた樹脂材料が採用される。
なお、透明板２７・２９の材料として樹脂を採用することによって、爆発が発生して固定窓１１の窓障子１１ａや、片引き戸１３が破れたときに、飛散する破片の軽量化を図るようにしている。
【００２５】
上述の放散用開口１０において、図１及び図３示す如く、固定窓１１と片引き戸１３とを重ね合わせた状態とすると、放散用開口１０の片側には外開き窓１２、他側には、固定窓１１と片引き戸１３とが存在することになる。
このとき、外開き窓１２を開いて、放散用開口１０を通じて建物内外の通気を行うことができる。
そして、建物内で爆発が発生すると、固定窓１１の窓障子１１ａ及び片引き戸１３はその爆風の圧を受けて破れ、その結果、開口を形成し爆発の圧を建物外部へ放散させる。また、外開き窓１２は、爆風の圧を受けて建物外側へ開き、開口を形成し爆発の圧を建物外部へ放散させる。
【００２６】
また、図４及び図６（ａ）に示す如く、固定窓１１と片引き戸１３とを重ね合わせた状態から、片引き戸１３をレール１４を摺動させて移動し、図６（ｂ）に示す如く、外開き窓１２と片引き戸１３とを重ね合わせた状態とすると、放散用開口１０の片側には外開き窓１２と片引き戸１３、他側には固定窓１１が存在することになる。
この場合、台風のように、爆風よりも弱いが外開き窓１２を開閉させる可能性のある非常事態となったときに、例え外開き窓１２の係止部材２４・２５の係止が外れて窓が開いても、該外開き窓１２の室内側に片引き戸１３が存在するので、建物内部への風雨の侵入を防止することができる。
【００２７】
上述の放散用開口１０に形成される固定窓１１、外開き窓１２、片引き戸１３はいずれもその大部分の面積に透明部材が採用されて、光を透過することができ、放散用開口１０からの採光を確保することができる。しかも、建物内部で爆発等が発生したときには、固定窓１１と片引き戸１３は破れて放散用窓として機能し、外開き窓１２は開いて放散用窓として機能して、爆発の圧を外部へ放散する放散用開口１０を形成することができる。
【００２８】
また、放散用開口１０に形成される外開き窓１２は、開閉可能であり、窓を開くことによって、放散用開口１０を通じて建物内外の通気・換気を行うことができる。もちろん、外開き窓１２を開いた状態においても、該外開き窓１２は建物内部で爆発等が発生したときには放散用窓として機能し、爆発の圧を外部へ放散する放散用開口１０を形成することができる。
【００２９】
このように、放散用開口１０を、不透明な板状部材で閉塞するのではなく、窓に近い形態のものとし、開口を閉塞するために透明の部材を採用し、且つ、開閉可能な構造とすることで、放散用開口１０に採光機能や換気機能を備えている。
【００３０】
なお、開口枠１５にレールを形成して、固定窓１１の窓障子１１ａを該レール上を摺動可能に設け、引き戸のように形成することもできる。
また、開口枠１５にレールを形成して、外開き窓１２の窓内枠２０を該レール上を摺動可能に設けることもできる。
【図面の簡単な説明】
【００３１】
【図１】本発明の実施例に係る放散構造を備えた開口の構成を示す平面図。
【図２】放散構造を備えた開口の構成の別形態を示す平面図。
【図３】放散構造を備えた開口を室内側から見た図。
【図４】放散構造を備えた開口を室内側から見た図。
【図５】外開き窓の構成を示す側面断面図。
【図６】片引き戸と固定窓と外開き窓との位置関係を説明する図。
【符号の説明】
【００３２】
１０  放散用開口
１１  固定窓
１２  外開き窓
１３  片引き戸
１４  レール
１５  開口枠
２４・２５  係止部材
【図１】
2006045866.tif 000003
【図２】
2006045866.tif 000004
【図３】
2006045866.tif 000005
【図４】
2006045866.tif 000006
【図５】
2006045866.tif 000007
【図６】
2006045866.tif 000008